(57)【特許請求の範囲】
【請求項１】
希望する衛星放送チャンネルを選局する選局部を有する衛星放送受信チューナーユニットであって、
シールドカバーの形状を、前記衛星放送受信チューナーユニットの内部からの不要輻射を分散する形状とした衛星放送受信チューナーユニットにおいて、
前記不要輻射を分散する形状が複数の略半球状凸形状であることを特徴とする衛星放送受信チューナーユニット。
【請求項２】
希望する衛星放送チャンネルを選局する選局部と該選局部よりの衛星放送チャンネル信号を復調する復調部とを有する衛星放送受信フロントエンドユニットであって、
シールドカバーの形状を、前記衛星放送受信フロントエンドユニットの内部からの不要輻射を分散する形状とした衛星放送受信フロントエンドユニットにおいて、
前記不要輻射を分散する形状が複数の略半球状凸形状であることを特徴とする衛星放送受信フロントエンドユニット。
【請求項３】
希望する衛星放送チャンネルを選局する選局部を有する衛星放送受信チューナーユニットを複数個設けると共に前記複数個の衛星放送受信チューナーユニットのシールドカバーの形状を、前記衛星放送受信チューナーユニットの内部からの不要輻射を分散する形状とした衛星放送受信装置において、
前記不要輻射を分散する形状が複数の略半球状凸形状であることを特徴とする衛星放送受信装置。
【請求項４】
希望する衛星放送チャンネルを選局する選局部と該選局部よりの衛星放送チャンネル信号を復調する復調部とを有する衛星放送受信フロントエンドユニットを複数個設けると共に前記複数個の衛星放送受信フロントエンドユニットのシールドカバーの形状を、前記衛星放送受信フロントエンドユニットの内部からの不要輻射を分散する形状とした衛星放送受信装置において、
前記不要輻射を分散する形状が複数の略半球状凸形状であることを特徴とする衛星放送受信装置。
【発明の詳細な説明】
【０００１】
【発明の属する技術分野】
本発明は、衛星放送受信チューナーユニット、衛星放送受信フロントエンドユニット及び衛星放送受信装置に関する。
【０００２】
【従来の技術】
従来の衛星放送受信装置は、例えばＢＳアナログ放送を例とすると図４に示す如く例えば放送衛星（ＢＳ（broadcasting satellite) ）１よりの１２ＧＨｚ帯のＳＨＦ電波を例えばオフセット形パラボラアンテナより成るＢＳアンテナ２で受信してＢＳコンバータ３に供給し、このＢＳコンバータ３で１ＧＨｚ帯の第１中間周波信号に変換し、この第１中間周波信号を衛星放送チューナー装置４に供給する。この衛星放送チューナー装置４に供給される受信信号は周波数の変換されたＦＭ信号である。
【０００３】
この場合、一般にＢＳアンテナ２とＢＳコンバータ３とは、一対のものとして屋外に設置し、この衛星放送チューナー装置４は屋内に設置される。
【０００４】
この屋内に設置された衛星放送チューナー装置４は、この第１中間周波信号の中の希望するチャンネルを選局し、そのＦＭ信号から、テレビ映像信号及び音声信号を復調する。
【０００５】
この衛星放送チューナー装置４に得られるテレビ映像信号及び音声信号をＡＶ（Audio Video)形テレビ受像機５の映像信号入力端子及び音声信号入力端子に供給する如くする。
【０００６】
この場合、衛星放送の音声はＰＣＭ伝送方式で、高忠実度の音声が受信できるから、特に音楽番組等にこの衛星放送チューナー装置４よりの音声信号をオーディオ装置に供給することにより、すばらしい音を楽しむことができる。
【０００７】
またこの衛星放送チューナー装置４には、テレビ映像信号と音声信号とを地上放送の信号と同じＡＭ信号に変調したＵＨＦ−１３チャンネルの信号が得られるＲＦ出力端子４ＲＦが設けられており、このＲＦ出力端子４ＲＦに得られる信号を従来のテレビ受像機６に供給する如くし、従来のテレビ受像機６で、衛星放送を受信できる如くなされている。
【０００８】
この衛星放送チューナー装置４としては、例えば図５に示す如く構成する。この図５において、４ＩはＢＳコンバータ３よりの１ＧＨｚ帯の第１中間周波信号が供給される第１中間周波信号入力端子を示し、この第１中間周波信号入力端子４Ｉに供給される第１中間周波信号を高周波増幅回路１０を介して混合回路１１の一方の入力端子に供給し、局部発振器１２よりの局部発信信号をこの混合回路１１の他方の入力端子に供給する。１３はチャンネル選局用のチャンネル選局信号を供給するチャンネル選局信号入力端子である。
【０００９】
この高周波増幅回路１０、混合回路１１及び局部発振器１２で選局部即ち、チューナーユニットを構成する如くする。
【００１０】
この選局部では、チャンネル選局信号入力端子１３に希望するチャンネルの選局信号を供給し、この第１中間周波信号から希望チャンネルを選局し、この混合回路１１の出力側に中心周波数が１３４．２６ＭＨｚまたは４０２．８ＭＨｚの第２中間周波信号を得る。
【００１１】
この混合回路１１の出力側に得られる第２中間周波信号を中間周波増幅回路１４とバンドパスフィルタ１５とＡＧＣ及びリミッタ回路１６との直列回路を介してＦＭ復調回路１７に供給する。この中間周波増幅回路１４とバンドパスフィルタ１５とＡＧＣ及びリミッタ回路１６とで中間周波増幅部を構成する。
【００１２】
このＦＭ復調回路１７は、この中間周波増幅部からのＦＭ信号を検波し、テレビ映像信号と音声ＰＣＭ副搬送波信号を得る。またこのＦＭ復調回路１７に得られる検波信号を局部発振器１２にフィードバックし、この局部発振器１２の発振周波数を安定にするように制御する如くする。この中間周波増幅部及びＦＭ復調回路１７で復調部を構成し、この選局部と復調部とでフロントエンドユニットを構成する。
【００１３】
このＦＭ復調回路１７の出力信号を映像信号処理部を構成する４．５ＭＨｚのローパスフィルタ１８に供給し、このローパスフィルタ１８で音声ＰＣＭ副搬送波信号を取り除き、テレビ映像信号のみとし、このテレビ映像信号をディエンファシス回路１９、エネルギー拡散信号除去回路２０及び映像増幅回路２１の直列回路を介してテレビ映像信号出力端子４Ｖに供給する。
【００１４】
このディエンファシス回路１９は、送信側で雑音を低減するために高い周波数成分がエンファシス（強調）されたテレビ映像信号を逆の特性で処理することにより、元の信号に戻すものである。
【００１５】
またエネルギー拡散信号除去回路２０は送信側で加えられた１５Ｈｚの成分を取り除き、元のテレビ映像信号に再生するためのものである。
【００１６】
またこのＦＭ復調回路１７の出力信号を音声信号処理部を構成する５．７３ＭＨｚのバンドパスフィルタ２２に供給し、このバンドパスフィルタ２２で音声ＰＣＭ副搬送波信号のみを取り出し、この音声ＰＣＭ副搬送波信号を４相ＤＰＳＫ復調回路２３に供給する。
【００１７】
この４相ＤＰＳＫ復調回路２３では、この音声ＰＣＭ副搬送波信号をＰＣＭ符号列のデジタル信号に復調し、この４相ＤＰＳＫ復調回路２３の出力側に得られるＰＣＭ符号列のデジタル信号をＰＣＭ復調回路２４に供給する。
【００１８】
このＰＣＭ復調回路２４は、ＰＣＭ符号列のデジタル信号をデスクランブル及びデインターリーブして、元の符号列に戻すとともに、誤り訂正、ビット伸長等を行い、またＤ／ＡコンバータでＰＣＭビットストリームの音声信号を元のアナログ音声信号に復調する如くする。
【００１９】
このＰＣＭ復調回路２４に得られるアナログの音声信号を音声信号出力端子４Ａに供給する。また４ＳはこのＰＣＭ復調回路２４に得られる付加音声信号の出力端子、４ＤはこのＰＣＭ復調回路２４に得られるデジタル音声信号の出力端子である。
【００２０】
また、この映像信号処理部及び音声信号処理部の夫々の出力信号をＵＨＦテレビジョン信号変換器２５に供給し、このＵＨＦテレビジョン信号変換器２５でＵＨＦ１３〜１５チャンネルのＵＨＦテレビジョン信号変換器２５に得られるＵＨＦ１３〜１５チャンネルのＵＨＦテレビジョン信号をＲＦ出力端子４ＲＦに供給する如くする。
【００２１】
斯る衛星放送受信装置においては、現在ユーザは選択した単一のチャンネルの衛星放送を視聴したり、録画したりしている。
【００２２】
しかし、衛星放送のチャンネルは複数有り、また通信衛星（ＣＳ（communication satellite)）等よりの複数チャンネルの衛星放送が有り、今後はこの衛星放送受信装置においても、ユーザが視聴している衛星放送のチャンネルと異なる衛星放送のチャンネルを同時に録画したり、もしくは異なる衛星放送の複数画面による視聴等の用途が望まれる。
【００２３】
この衛星放送の異なる複数例えば２チャンネルを同時に視聴あるいは録画できるようにするにはこの衛星放送受信装置に、図６に示す如く、夫々シールドカバーに被われた複数例えば２つのフロントエンドユニット３０ａ，３０ｂを設ける如くする。
【００２４】
この図６につき説明するに、この図６はＢＳアンテナ２の他にこのＢＳアンテナ２と同様のＣＳアンテナ２ａを設け、このＢＳアンテナ２及びＣＳアンテナ２ａよりの夫々の１ＧＨｚ帯の第１中間周波信号を切換スイッチ３１ａ及び３１ｂに夫々供給し、この切換スイッチ３１ａ及び３１ｂの夫々の出力側に得られる所望の第１中間周波信号をフロントエンドユニット３０ａ及び３０ｂの夫々の第１中間周波信号入力端子４Ｉに供給する如くする。
【００２５】
このフロントエンドユニット３０ａは、高周波増幅回路１０、混合回路１１及び局部発振器１２より成る選局部３２ａと復調部３３ａとより成ると共にフロントエンドユニット３０ｂは、高周波増幅回路１０、混合回路１１及び局部発振器１２より成る選局部３２ｂと復調部３３ｂとより成り、復調部３３ａ及び３３ｂの夫々の出力端子３４ａ及び３４ｂに夫々異なる希望チャンネルの衛星放送信号を得る如くする。
【００２６】
また衛星放送の異なる複数例えば２チャンネルを同時に視聴あるいは録画できるようにするのに、この衛星放送受信装置に図７に示す如く夫々シールドカバーに被われた複数例えば２つのチューナーユニット３５ａ，３５ｂを設ける如くしても良い。
【００２７】
この図７につき説明するに、この図７においても図６同様にＢＳアンテナ２の他にこのＢＳアンテナ２と同様のＣＳアンテナ２ａを設け、このＢＳアンテナ２及びＣＳアンテナ２ａよりの夫々の１ＧＨｚ帯の第１中間周波信号を切換スイッチ３１ａ及び３１ｂに夫々供給し、この切換スイッチ３１ａ及び３１ｂの夫々の出力側に得られる所望の第１中間周波信号をチューナーユニット３５ａ及び３５ｂの夫々の第１中間周波信号入力端子４Ｉに供給する如くする。
【００２８】
このチューナーユニット３５ａは、高周波増幅回路１０、混合回路１１及び局部発振器１２より成り、このチューナーユニット３５ｂは、高周波増幅回路１０、混合回路１１及び局部発振器１２より成る。
【００２９】
このチューナーユニット３５ａ及び３５ｂの夫々の出力信号を集積回路（ＩＣ）より成る２入力２出力の機能をもつ復調部３３に供給し、この復調部３３の２つの出力端子３４ａ及び３４ｂに夫々異なる希望チャンネルの衛星放送信号を得る如くする。
【００３０】
【発明が解決しようとする課題】
斯る図６又は図７に示す如きフロントエンドユニット３０ａ，３０ｂ又はチューナーユニット３５ａ，３５ｂのシールドカバーは図８に示す如くほぼ平坦な板金により形成されており、このフロントエンドユニット３０ａ，３０ｂ又はチューナーユニット３５ａ，３５ｂを二つ並べたときはフロントエンドユニット３０ａ及び３０ｂ間又はチューナーユニット３５ａ及び３５ｂ間において、図８に示す如く互に不要輻射源となり高周波増幅回路１０の入力信号及び局部発振器１２の局部発振信号が相互干渉する不都合があった。
【００３１】
本発明は、斯る点に鑑み複数のフロントエンドユニット又はチューナーユニットを設け、衛星放送の複数の希望チャンネルを同時に視聴あるいは録画するようにしたときのフロントエンドユニット間又はチューナーユニット間の相互干渉を軽減するようにすることを目的とする。
【００３２】
【課題を解決するための手段】
本発明衛星放送チューナーユニットは、希望する衛星放送チャンネルを選局する選局部を有する衛星放送受信チューナーユニットであって、シールドカバーの形状を、この衛星放送受信チューナーユニットの内部からの不要輻射を分散する形状とした衛星放送受信チューナーユニットにおいて、この不要輻射を分散する形状が複数の略半球状凸形状であるものである。
【００３３】
斯る本発明によれば、衛星放送受信チューナーユニットのシールドカバーの形状をこの衛星放送受信チューナーユニットの内部からの不要輻射を分散する複数の略半球状凸形状としたので、この衛星放送受信チューナーユニットを複数例えば２個互いに平行で近傍に配置したときには、不要輻射は分散され、チューナーユニット間の相互干渉を軽減することができる。
【００３４】
本発明衛星放送受信フロントエンドユニットは、希望する衛星放送チャンネルを選局する選局部と該選局部よりの衛星放送チャンネル信号を復調する復調部とを有する衛星放送受信フロントエンドユニットであって、シールドカバーの形状を、この衛星放送受信フロントエンドユニットの内部からの不要輻射を分散する形状とした衛星放送受信フロントエンドユニットにおいて、この不要輻射を分散する形状が複数の略半球状凸形状であるものである。
【００３５】
斯る本発明によれば、衛星放送受信フロントエンドユニットのシールドカバーの形状をこの衛星放送受信フロントエンドユニットの内部からの不要輻射を分散する複数の略半球状凸形状としたので、この衛星放送受信フロントエンドユニットを複数例えば２個互いに平行で近傍に配置したときには、不要輻射は分散され、フロントエンドユニット間の相互干渉を軽減することができる。
【００３６】
【発明の実施の形態】
以下図面を参照して本発明衛星放送受信チューナーユニット、衛星放送受信フロントエンドユニット及び衛星放送受信装置の実施の形態の例につき説明しよう。
【００３７】
本例による衛星放送受信装置は、図４に示す如き、衛星放送受信装置において、衛星放送チューナー装置４に図６又は図７に示す如く、この複数例えば２個のフロントエンドユニット３０ａ，３０ｂ又は複数例えば２個のチューナーユニット３５ａ，３５ｂを設け、このフロントエンドユニット３０ａ，３０ｂ、チューナーユニット３５ａ，３５ｂの板金によるシールドカバー４０の表面及び裏面に、このフロントエンドユニット３０ａ，３０ｂ、チューナーユニット３５ａ，３５ｂの高周波増幅回路１０、局部発振器１２よりの不要輻射を分散する例えば図１、図２に示す如き、６個の半球状凸形状４０ａを形成する如くする。
【００３８】
図６に示す如き、フロントエンドユニット３０ａにおいては、シールドカバー４０内に高周波増幅回路１０、混合回路１１及び局部発振器１２より成る選局部３２ａと復調部３３ａとを配すると共にフロントエンドユニット３０ｂにおいては、このシールドカバー４０内に高周波増幅回路１０、混合回路１１及び局部発振器１２より成る選局部３２ｂと復調部３３ｂとを配する如くする。
【００３９】
また、図７に示す如き、チューナーユニット３５ａ及び３５ｂにおいては、夫々のシールドカバー４０内に、高周波増幅回路１０、混合回路１１及び局部発振器１２より成る選局部を夫々配する如くする。
【００４０】
本例においては、このフロントエンドユニット３０ａ，３０ｂ、チューナーユニット３５ａ，３５ｂのシールドカバー４０を不要輻射に対する放射アンテナもしくは受信アンテナと考えた上で、近接し合うフロントエンドユニット３０ａ，３０ｂ又はチューナーユニット３５ａ，３５ｂ方向へのアンテナ利得を低減することにより、フロントエンドユニット３０ａ，３０ｂ間又はチューナーユニット３５ａ，３５ｂ間の相互干渉を低減させる。
【００４１】
このアンテナ利得とは方向特性を持つある特定方向への電磁波を放射する能力及び電磁波を収束する能力があり、この方向特性を低減するということはある特定方向への電磁波放射強度を低減させる、もしくはある特定方向からの電磁波受信強度を低減させることである。
【００４２】
本例においては、このフロントエンドユニット３０ａ，３０ｂ、チューナーユニット３５ａ，３５ｂのシールドカバー４０の表面及び裏面に夫々６個の半球状凸形状４０ａを形成したので、このフロントエンドユニット３０ａ及び３０ｂ又はチューナーユニット３５ａ及び３５ｂを近接して配したときには、図２に示す如く、フロントエンドユニット３０ａ，３０ｂ、チューナーユニット３５ａ，３５ｂ（図２ではフロントエンドユニット３０ｂ、チューナーユニット３５ｂ側）は不要輻射を分散させることとなり、この不要輻射の影響を受けるフロントエンドユニット３０ａ，３０ｂ、チューナーユニット３５ａ，３５ｂ（図２ではフロントエンドユニット３０ａ、チューナーユニット３５ａ）へのアンテナ利得を低減し伝播量を軽減し、フロントエンドユニット３０ａ及び３０ｂ間又はチューナーユニット３５ａ及び３５ｂ間の相互干渉を軽減することができる。
【００４３】
従って本例においては、複数例えば２つのフロントエンドユニット３０ａ及び３０ｂ又は複数例えば２つのチューナーユニット３５ａ及び３５ｂを設け、衛星放送の複数例えば２つの希望チャンネルを同時に視聴あるいは録画するようにしたときにフロントエンドユニット３０ａ及び３０ｂ間又はチューナーユニット３５ａ及び３５ｂ間の相互干渉が軽減され、衛星放送の複数例えば２つの希望チャンネルを同時に良好に視聴あるいは録画することができる。
【００４４】
また本例においてはシールドカバー４０の形状を工夫するだけで、フロントエンドユニット又はチューナーユニットは基本的には従来のものが使用でき改めて開発を行う必要がなく、それにかかるコストや時間が削減できる。
【００４５】
また、このフロントエンドユニット３０ａ，３０ｂ、チューナーユニット３５ａ，３５ｂの板金より成るシールドカバー４０の表面及び裏面に図３に示す如く、フロントエンドユニット３０ａ，３０ｂ、チューナーユニット３５ａ，３５ｂの内部からの不要輻射の方向を斜め上方とする形状である複数の断面三角形凸形状４０ｂを形成する如くしても良い。
【００４６】
この図３に示す如きシールドカバー４０としたフロントエンドユニット３０ａ，３０ｂ、チューナーユニット３５ａ，３５ｂにおいては、不要輻射の方向を斜め上方とする形状としたので、フロントエンドユニット３０ａ及び３０ｂ間、チューナーユニット３５ａ及び３５ｂ間の相互干渉を軽減することができる。
【００４７】
尚、本発明は上述例に限らずフロントエンドユニット、チューナーユニットの板金より成るシールドカバーの形状を不要輻射を分散することができるその他の形状としても良いことは勿論である。
【００４８】
また本発明は上述例に限ることなく、本発明の要旨を逸脱することなく、その他種々の構成が取り得ることは勿論である。
【００４９】
【発明の効果】
本発明によれば複数のフロントエンドユニット又はチューナーユニットを設け、衛星放送の複数の希望チャンネルを同時に視聴あるいは録画するようにしたときのフロントエンドユニット間又はチューナーユニット間の相互干渉を軽減でき、衛星放送の複数の希望チャンネルを同時に良好に視聴あるいは録画することができる。
【図面の簡単な説明】
【図１】本発明フロントエンドユニット（チューナーユニット）の実施の形態の例を示す斜視図である。
【図２】図１の説明に供する線図である。
【図３】本発明の実施の形態の他の例の説明に供する線図である。
【図４】衛星放送受信装置の例を示す構成図である。
【図５】衛星放送チューナー装置の例を示す構成図である。
【図６】衛星放送受信装置の例を示す構成図である。
【図７】衛星放送受信装置の例を示す構成図である。
【図８】従来例の説明に供する線図である。
【符号の説明】
２‥‥ＢＳアンテナ、２ａ‥‥ＣＳアンテナ、４‥‥衛星放送チューナー装置、１０‥‥高周波増幅回路、１１‥‥混合回路、１２‥‥局部発振器、３０ａ，３０ｂ‥‥フロントエンドユニット、３１ａ，３１ｂ‥‥切換スイッチ、３２ａ，３２ｂ‥‥選局部、３３，３３ａ，３３ｂ‥‥復調部、３４ａ，３４ｂ‥‥出力端子、３５ａ，３５ｂ‥‥チューナーユニット、４０‥‥シールドカバー、４０ａ‥‥半球状凸形状、４０ｂ‥‥三角形凸形状
【図１】
0004019770.tif 000002
【図２】
0004019770.tif 000003
【図３】
0004019770.tif 000004
【図４】
0004019770.tif 000005
【図５】
0004019770.tif 000006
【図６】
0004019770.tif 000007
【図７】
0004019770.tif 000008
【図８】
0004019770.tif 000009